(57)【要約】【課題】ブランクの状態からの組み立て作業性に優れ、底板上に載置したピザの油やトッピングが箱外に漏れにくいピザ用包装箱を提供する。【解決手段】側縁２とその側縁２に直角な端縁３と側縁２から端縁３に至る斜縁４とを有するピザ載置用の底板１を設け、その底板１の側縁２に連設した側板５を底板１の側縁２に沿って曲げ起こし、底板１の端縁３に連設した端板８を底板１の端縁３に沿って曲げ起こし、側板５の側縁１６に連設した第１折込片１７の下縁２０と端板８の側縁１８に連設した第２折込片１９の下縁２１とを連結する連結片２２を底板１の斜縁４に連設し、その連結片２２を底板１の斜縁４に沿って折り返すことによって第１折込片１７と第２折込片１９を底板１の斜縁４よりも内側に折り込むようにした段ボール製のピザ用包装箱において、連結片２２を、連結片２２と底板１の間に隙間を残す位置まで折り返すようにする。【選択図】図１
2008155960.tif 000002
【特許請求の範囲】
【請求項１】
側縁（２）とその側縁（２）に直角な端縁（３）と前記側縁（２）から前記端縁（３）に至る斜縁（４）とを有するピザ載置用の底板（１）を設け、その底板（１）の側縁（２）に連設した側板（５）を底板（１）の側縁（２）に沿って曲げ起こし、前記底板（１）の端縁（３）に連設した端板（８）を底板（１）の端縁（３）に沿って曲げ起こし、前記側板（５）の側縁（１６）に連設した第１折込片（１７）の下縁（２０）と前記端板（８）の側縁（１８）に連設した第２折込片（１９）の下縁（２１）とを連結する連結片（２２）を前記底板（１）の斜縁（４）に連設し、その連結片（２２）を前記底板（１）の斜縁（４）に沿って折り返すことによって前記第１折込片（１７）と前記第２折込片（１９）を前記底板（１）の斜縁（４）よりも内側に折り込むようにした段ボール製のピザ用包装箱において、前記連結片（２２）を、連結片（２２）と底板（１）の間に隙間を残す位置まで折り返すようにしたことを特徴とするピザ用包装箱。
【発明の詳細な説明】
【技術分野】
【０００１】
この発明は、宅配ピザや持ち帰りピザを収容するピザ用包装箱に関する。
【背景技術】
【０００２】
ピザを宅配する場合や、持ち帰り用のピザを販売する場合にピザを収容するピザ用包装箱は、ピザを収容するまではブランクの状態で保管し、ピザを収容するときに組み立てて用いることが多いが（特許文献１〜５）、このようなピザ用包装箱として、段ボールからなり、図７に示すように箱の四隅を内側に折り込んだものが知られている。
【０００３】
このピザ用包装箱は、図８に示すように、ピザ載置用の底板３１が、対向１対の側縁３２，３２と、対向１対の端縁３３，３３と、各側縁３２から各端縁３３に至る斜縁３４とを有する八角形状に形成されている。底板３１の各側縁３２には側板３５が連設され、各側板３５の両端縁３６，３６には、第１折込片３７が連設されており、同様に、各端縁３３には端板３８が連設され、各端板３８の両側縁３９，３９には、第２折込片４０が連設されている。また、底板３１の斜縁３４には、第１折込片３７の下縁４１と、第２折込片４０の下縁４２とを連結する連結片４３が連設されている。
【０００４】
このピザ用包装箱は、次のようにして組み立てる。まず、図８に示すブランクの状態から各側板３５と各端板３８を底板３１に対して曲げ起こし、これと同時に、図９、図１０に示すように、連結片４３を底板３１の斜縁３４に沿って底板３１に重なる位置まで折り返すことによって、第１折込片３７と第２折込片４０を斜縁３４よりも内側に折り込む。つぎに、図７に示すように、一方の端板３８の上縁に連設した蓋板４４で、箱の上部開口を閉鎖する。
【特許文献１】米国特許第５０００３７４号明細書
【特許文献２】米国特許第５４０２９２９号明細書
【特許文献３】特開２００３−２２１０２６号公報
【特許文献４】実用新案登録第３１０６８６７号公報
【発明の開示】
【発明が解決しようとする課題】
【０００５】
このピザ用包装箱は、図１１（ｂ）に示すように、連結板４３を底板３１に重なる位置まで折り返しているので、連結板４３に作用する復元力が大きく、その復元力によって連結板４３が折り返す前の状態に戻りやすい。連結板４３が折り返す前の状態に戻ると、側板３５と端板３８も曲げ起こす前の状態に戻ってしまう。そのため、このピザ用包装箱は、ブランクの状態からの組み立て作業性が悪かった。
【０００６】
また、このピザ用包装箱は、図１１（ｂ）に示すように、組み立てたときに第１折込片３７と第２折込片４０の間に形成されるスリット４５の下端の位置が、底板３１に近接しているので、そのスリット４５を通して、底板３１上に載置したピザの油やトッピングが箱外に漏れるおそれがあった。
【０００７】
この発明が解決しようとする課題は、ブランクの状態からの組み立て作業性に優れ、底板上に載置したピザの油やトッピングが箱外に漏れにくいピザ用包装箱を提供することである。
【課題を解決するための手段】
【０００８】
上記の課題を解決するために、前記連結片を、連結片と底板の間に隙間を残す位置まで折り返すようにした。このようにすると、連結片を底板の斜縁に沿って底板に重なる位置まで折り返すようにしたものと比較して、底板の斜縁に沿った連結板の曲げ角度が小さいので、底板の斜縁に沿って連結板を折り返したときに、連結板に作用する復元力が小さい。そのため、連結片が折り返す前の状態に戻りにくく、側板と端板も曲げ起こす前の状態に戻りにくい。
【発明の効果】
【０００９】
このピザ用包装箱は、前記連結片を、連結片と底板の間に隙間を残す位置まで折り返すようにしたので、連結片を底板の斜縁に沿って折り返したときに、連結板に作用する復元力が小さい。そのため、このピザ用包装箱は、ブランクの状態からの組み立て作業性に優れる。
【００１０】
また、このピザ用包装箱は、組み立てたときに第１折込片と第２折込片の間に形成されるスリットが、底板から上方に離れた位置に形成されるので、底板上に載置したピザの油やトッピングが、スリットを通して箱外に漏れにくい。
【発明を実施するための最良の形態】
【００１１】
図１に、この発明の実施形態のピザ用包装箱を示し、図２に、そのブランクを示す。このピザ用包装箱は、段ボールからなり、図２に示すように、底板１が、対向１対の側縁２，２と、側縁２に直角な対向１対の端縁３，３と、各側縁２から各端縁３に至る斜縁４とを有する八角形状に形成されている。
【００１２】
底板１の各側縁２には、側板５、側フラップ６が順に連設され、側板５と側フラップ６の間にスリット７が形成されている。底板１の一方の端縁３には、端板８、端フラップ９が順に連設され、端板８と端フラップ９の間にスリット１０が形成されている。底板１の他方の端縁３には、端板８、蓋板１１が順に連設されている。
【００１３】
蓋板１１は、底板１と同じ八角形状であり、蓋板１１の先端縁１２には、スリット１０に対応する差込み片１３が連設され、蓋板１１の各側縁１４には、スリット７に対応する差込み片１５が連設されている。
【００１４】
各側板５の両側縁１６，１６には、第１折込片１７が連設され、各端板８の両側縁１８には、第２折込片１９が連設されている。底板１の各斜縁４には、第１折込片１７の下縁２０と第２折込片１９の下縁２１を連結する連結片２２が連設されている。
【００１５】
側板５の側縁１６は、底板１の側縁２に対して直角であり、側板５の側縁１６と第１折込片１７の下縁２０の間に挟まれる角度α（図３参照）は、直角よりも小さい。同様に、端板８の側縁１８は、底板１の端縁３に対して直角であり、端板８の側縁１８と第２折込片１９の下縁２１の間に挟まれる角度β（図３参照）は、直角よりも小さい。
【００１６】
図２に示すブランクは、次のようにして組み立てることができる。まず、図２に示すブランクの状態から各側板５と各端板８を底板１に対して曲げ起こし、これと同時に、図３から図５に示すように、連結片２２を底板１の斜縁４に沿って折り返すことによって、第１折込片１７と第２折込片１９を斜縁４よりも内側に折り込む。
【００１７】
このとき、図６（ａ）に示すように、側板５の側縁１６と第１折込片１７の下縁２０の間に挟まれる角度αが直角よりも小さく、また、図６（ｂ）に示すように、端板８の側縁１８と第２折込片１９の下縁２１の間に挟まれる角度βが直角よりも小さいので、図６（ｂ）に示すように、連結片２２は底板１に重ならず、連結片２２と底板１の間に隙間が残る。つぎに、蓋板１１で箱の上部開口を閉鎖し、差込み片１３，１５をそれぞれスリット７，１０に差し込む。
【００１８】
このピザ用包装箱は、図６（ｂ）に示すように、連結片２２を、連結片２２と底板１の間に隙間を残す位置まで折り返すようにしたので、図１１（ｂ）に示すように、連結片４３を底板３１に重なる位置まで折り返すようにしたものと比較して、底板１の斜縁４に沿った連結板２２の曲げ角度が小さく、連結板２２に作用する復元力が小さい。そのため、このピザ用包装箱は、ブランクの状態から組み立てるときに、連結片２２が折り返す前の状態に戻りにくく、ブランクの状態からの組み立て作業性に優れる。
【００１９】
また、このピザ用包装箱は、組み立てたときに、図６（ｂ）に示すように、第１折込片１７と第２折込片１９の間に形成されるスリット２３が、底板１から上方に離れた位置に形成されるので、底板１上に載置したピザの油やトッピングが、スリット２３を通して箱外に漏れにくい。
【００２０】
上記実施形態では、箱の四隅を内側に折り込み、その四隅の各連結片２２を、連結片２２と底板１の間に隙間を残す位置まで折り返すようにしたピザ用包装箱を例に挙げて説明したが、この発明は、箱の四隅のうちの二隅を内側に折り込み、内側に折り込んだ各隅の連結片を、連結片と底板の間に隙間を残す位置まで折り返すようにしたピザ用包装箱にも適用することができる。
【００２１】
また、上記実施形態では、蓋板１１に連設した差込み片１３，１５をスリット７，１０にそれぞれ差し込むタイプのピザ用包装箱を例に挙げて説明したが、この発明は、蓋板の両側縁に外側板を連設し、その各外側板の両側縁に連設した第３折込片と蓋板の斜縁を連結する第２連結片を設け、上部開口を蓋板で閉鎖した状態で、第３折込片と第２連結片を内側に折り込むクラムシェルタイプのピザ用包装箱に適用してもよい。
【図面の簡単な説明】
【００２２】
【図１】この発明の実施形態のピザ用包装箱を示す斜視図
【図２】図１に示すピザ用包装箱のブランクを示す平面図
【図３】図２に示すブランクの組み立て過程を示す拡大斜視図
【図４】図２に示すブランクの組み立て過程を示す拡大斜視図
【図５】図２に示すブランクの組み立て過程を示す拡大斜視図
【図６】（ａ）は、図５に示す連結片の近傍を箱の内側から見た斜視図、（ｂ）は（ａ）のＢ−Ｂ線に沿った断面図
【図７】従来のピザ用包装箱の一例を示す斜視図
【図８】図７に示すピザ用包装箱のブランクを示す平面図
【図９】図８に示すブランクの組み立て過程を示す拡大斜視図
【図１０】図８に示すブランクの組み立て過程を示す拡大斜視図
【図１１】（ａ）は、図１０に示す連結片の近傍を箱の内側から見た斜視図、（ｂ）は（ａ）のＢ−Ｂ線に沿った断面図
【符号の説明】
【００２３】
１      底板
２      側縁
３      端縁
４      斜縁
５      側板
８      端板
１６    側縁
１７    第１折込片
１８    側縁
１９    第２折込片
２０    下縁
２１    下縁
２２    連結片
【図１】
2008155960.tif 000003
【図２】
2008155960.tif 000004
【図３】
2008155960.tif 000005
【図４】
2008155960.tif 000006
【図５】
2008155960.tif 000007
【図６】
2008155960.tif 000008
【図７】
2008155960.tif 000009
【図８】
2008155960.tif 000010
【図９】
2008155960.tif 000011
【図１０】
2008155960.tif 000012
【図１１】
2008155960.tif 000013